(57)【要約】【課題】  アルファブレンドの混合比αを細かく切り換えなくても、透明部分が多いオンスクリーンディスプレイ信号を信号処理することができるオンスクリーンディスプレイ回路を提供する。【解決手段】映像信号とオンスクリーンディスプレイ信号を所定の混合比で混合するオンスクリーンディスプレイ回路において、映像信号を入力する第1の入力部と、オンスクリーンディスプレイ信号を入力する第2の入力部と、入力されたオンスクリーンディスプレイ信号が予め定められた値であるか否かを検出する検出部と、この検出部が予め定められた値のオンスクリーンディスプレイ信号を検出すると、予め定められた混合比に切り換える切換部とを備える。【選択図】  図１
2009025574.tif 000002
【特許請求の範囲】
【請求項１】
映像信号とオンスクリーンディスプレイ信号を所定の混合比で混合するオンスクリーンディスプレイ回路において、
映像信号を入力する第1の入力部と、
オンスクリーンディスプレイ信号を入力する第2の入力部と、
前記第1の入力部から入力された映像信号に、映像信号とオンスクリーンディスプレイ信号との混合比を乗算する第1の乗算部と、
前記第２の入力部から入力されたオンスクリーンディスプレイ信号に、映像信号とオンスクリーンディスプレイ信号との混合比を乗算する第２の乗算部と、
前記第1の乗算部により乗算された映像信号と前記第2の乗算部により乗算されたオンスクリーンディスプレイ信号とを加算する加算部と、
前記第2の入力部から入力されたオンスクリーンディスプレイ信号が予め定められた値であるか否かを検出する検出部と、
前記検出部が予め定められた値のオンスクリーンディスプレイ信号を検出すると、混合比を予め定められた混合比に切り換える切換部とを備えることを特徴とするオンスクリーンディスプレイ回路。
【請求項２】
請求項１に記載のオンスクリーンディスプレイ回路において、
前記検出部は、オンスクリーンディスプレイ信号を構成する赤信号、緑信号および青信号の各デジタル信号が予め定められた値であるか否かを検出し、前記切換部は、オンスクリーン信号の赤信号、緑信号および青信号の各信号が予め定められた値である場合、混合比を予め定められた混合比に切り換えることを特徴とするオンスクリーンディスプレイ回路。
【発明の詳細な説明】
【技術分野】
【０００１】
本発明は、オンスクリーンディスプレイ回路に関する。
【背景技術】
【０００２】
オンスクリーンディスプレイ表示とは、ディスプレイ装置上に文字や図形等を表示するものである。このオンスクリーンディスプレイ表示は、例えば、ディスプレイ装置の色合いやコントラスト、水平／垂直方向のサイズ変更や位置調整等に用いられている。このオンスクリーンディスプレイ表示の技術において、色の付いたオンスクリーンディスプレイ表示を透かして、他ソース等からの映像信号による画像を見えるようにする技術がある。このように、オンスクリーンディスプレイ表示を透かして他の画像を見えるようにすることをアルファブレンドという。このアルファブレンドは、例えば特許文献１に開示されている。
【０００３】
特許文献１には、文字や図形等をオンスクリーンディスプレイ表示するための信号（以下、オンスクリーンディスプレイ信号という）に混合比αを乗算し、映像信号に混合比（１−α）を乗算する。そして、これらの信号を加算し、この加算した信号を出力することで、アルファブレンドを実現する技術が記載されている。
【０００４】
【特許文献１】特開２００３−１６２２７５号公報
【発明の開示】
【発明が解決しようとする課題】
【０００５】
透明部分が多い文字や図形等のオンスクリーンディスプレイ信号をアルファブレンドする信号処理を行う場合、このオンスクリーンディスプレイ信号に応じた値の混合比αに細かく切り換える必要があり、混合比αのデータが多くなってしまう問題がある。
【０００６】
本発明は、上記の課題を解決するためになされたものであり、アルファブレンドの混合比αを細かく切り換えなくても、透明部分が多いオンスクリーンディスプレイ信号を信号処理することができるオンスクリーンディスプレイ回路を提供することを特徴とする。
【課題を解決するための手段】
【０００７】
上記の課題を解決するために、本発明におけるオンスクリーンディスプレイ回路は、映像信号とオンスクリーンディスプレイ信号を所定の混合比で混合するオンスクリーンディスプレイ回路において、映像信号を入力する第1の入力部と、オンスクリーンディスプレイ信号を入力する第2の入力部と、前記第1の入力部から入力された映像信号に、映像信号とオンスクリーンディスプレイ信号との混合比を乗算する第1の乗算部と、前記第２の入力部から入力されたオンスクリーンディスプレイ信号に、映像信号とオンスクリーンディスプレイ信号との混合比を乗算する第２の乗算部と、前記第1の乗算部により乗算された映像信号と前記第2の乗算部により乗算されたオンスクリーンディスプレイ信号とを加算する加算部と、前記第2の入力部から入力されたオンスクリーンディスプレイ信号が予め定められた値であるか否かを検出する検出部と、前記検出部が予め定められた値のオンスクリーンディスプレイ信号を検出すると、混合比を予め定められた混合比に切り換える切換部とを備えることを特徴とする。
【０００８】
また、上記のオンスクリーンディスプレイ回路において、前記検出部は、オンスクリーンディスプレイ信号を構成する赤信号、緑信号および青信号の各デジタル信号が予め定められた値であるか否かを検出し、前記切換部は、オンスクリーン信号の赤信号、緑信号および青信号の各信号が予め定められた値である場合、混合比を予め定められた混合比に切り換えることを特徴とする。
【発明の効果】
【０００９】
本発明によれば、アルファブレンドの混合比αを細かく切り換えなくても、透明部分が多いオンスクリーンディスプレイ信号を信号処理することができるオンスクリーンディスプレイ回路を提供することができる。
【発明を実施するための最良の形態】
【００１０】
以下、本発明の実施の形態について図面を参照して説明する。
図１は、本発明の一実施例であるオンスクリーンディスプレイ回路の構成を示すブロック図である。図１に示すように、本実施例のオンスクリーンディスプレイ回路１００は、映像信号の赤信号の入力端子１０１、緑信号の入力端子１０２および青信号の入力端子１０３、オンスクリーンディスプレイ信号の赤信号の入力端子１１１、緑信号の入力端子１１２および青信号の入力端子１１３、混合比の入力端子１２１、検出部１３１、切換部１４１、減算部１５１、乗算部１６１、乗算部１６２、乗算部１６３、乗算部１７１、乗算部１７２、乗算部１７３、加算部１８１、加算部１８２、加算部１８３を備える。
【００１１】
本実施例のオンスクリーンディスプレイ回路１００には、デジタル映像信号を構成する赤（Ｒ）信号、緑（Ｇ）信号および青（Ｂ）信号が入力され、オンスクリーンディスプレイ信号を構成するＲ信号、Ｇ信号およびＢ信号が入力される。更に、本実施例のオンスクリーンディスプレイ回路１００には、混合比αを示す信号が入力される。この混合比αは、映像信号に対するオンスクリーンディスプレイ信号の割合であり、０＜α≦１となる値である。
【００１２】
減算部１５１は、切換部１４１から入力された混合比αを用いて、（１−α）という演算をする。減算部１５１により演算された値を示す信号は、乗算部１６１、乗算部１６２および乗算部１６３に入力される。乗算部１６１は、入力端子１０１から入力された映像信号を構成するＲ信号と減算部１５１から入力された（１−α）を示す信号とを乗算する。乗算部１６２は、入力端子１０２から入力された映像信号を構成するＧ信号と減算部１５１により演算から入力された（１−α）を示す信号とを乗算する。乗算部１６３は、入力端子１０２から入力された映像信号を構成するＢ信号と減算部１５１から入力された（１−α）を示す信号とを乗算する。
【００１３】
検出部１３１は、入力端子１１１から入力されたオンスクリーンディスプレイ信号を構成するＲ信号、入力端子１１２から入力されたオンスクリーンディスプレイ信号を構成するＧ信号および入力端子１１３から入力されたオンスクリーンディスプレイ信号を構成するＢ信号が予め定められた値の信号であることを検出する。検出部１３１は、入力されたオンスクリーンディスプレイ信号のＲ信号、Ｇ信号およびＢ信号の各信号が予め定められた値の信号であることを検出すると、切換部１４１にハイ信号を出力する。そして、検出部１３１は、予め定められた値の信号を検出しないとき、ロー信号を切換部１４１に出力する。また、検出部１３１は、オンスクリーンディスプレイ信号のＲ信号を乗算部１７１に出力し、オンスクリーンディスプレイ信号のＧ信号を乗算部１７２に出力し、オンスクリーンディスプレイ信号のＢ信号を乗算部１７３に出力する。
【００１４】
乗算部１７１は、検出部１３１から入力されたオンスクリーンディスプレイ信号のＲ信号と切換部１４１から入力された混合比αとを乗算する。乗算部１７２は、検出部１３１から入力されたオンスクリーンディスプレイ信号のＧ信号と切換部１４１から入力された混合比αとを乗算する。乗算部１７３は、検出部１３１から入力されたオンスクリーンディスプレイ信号のＢ信号と切換部１４１から入力された混合比αとを乗算する。
【００１５】
加算部１８１は、乗算部１６１から出力された映像信号のＲ信号と乗算部１７１から出力されたオンスクリーンディスプレイ信号のＲ信号とを加算する。加算部１８２は、乗算部１６２から出力された映像信号のＧ信号と乗算部１７２から出力されたオンスクリーンディスプレイ信号のＧ信号とを加算する。加算部１８３は、乗算部１６３から出力された映像信号のＢ信号と乗算部１７３から出力されたオンスクリーンディスプレイ信号のＢ信号とを加算する。
【００１６】
切換部１４１は、検出部１３１から入力される信号に応じて、減算部１５１、乗算部１７１、乗算部１７２および乗算部１７３に出力する混合比αの値を切り換える。検出部１３１からロー信号が入力されているとき、切換部１４１は、入力端子１２１から入力された混合比αを、減算部１５１、乗算部１７１、乗算部１７２および乗算部１７３に出力する。検出部１３１からハイ信号が入力されているとき、切換部１４１は、予め定められた混合値を、減算部１５１、乗算部１７１、乗算部１７２および乗算部１７３に出力する。
【００１７】
次に、上述した本実施例のオンスクリーンディスプレイ回路による信号処理を詳細に説明する。
【００１８】
検出部１３１は、入力されたオンスクリーンディスプレイ信号を構成するＲ信号、Ｇ信号およびＢ信号の各信号が予め定められた値の信号を検出しないとき、切換部１４１にロー信号を出力する。切換部１４１は、検出部１３１からロー信号が入力されているとき、入力端子１２１から入力されている所定の混合比αを減算部１５１、乗算部１７１、乗算部１７２および乗算部１７３に出力する。
【００１９】
切換部１４１から出力された混合比αは、減算部１５１により（１-α）に演算され、乗算部１６１、乗算部１６２および乗算部１６３に入力される。オンスクリーンディスプレイ回路１００に入力された映像信号を構成するＲ信号、Ｇ信号およびＢ信号は、乗算部１６１、乗算部１６２および乗算部１６３により、減算部１５１により演算された（１-α）がそれぞれ乗算される。また、切換部１４１から出力された混合比αは、乗算部１７１、乗算部１７２および乗算部１７３に入力され、それぞれオンスクリーンディスプレイ信号を構成するＲ信号、Ｇ信号およびＢ信号と乗算される。
【００２０】
（１-α）が乗算された映像信号を構成するＲ信号、Ｇ信号およびＢ信号は、加算部１８１、加算部１８２および加算部１８３によりそれぞれ混合比αが乗算されたオンスクリーンディスプレイ信号のＲ信号、Ｇ信号およびＢ信号と加算される。以上の信号処理により、本実施例のオンスクリーンディスプレイ回路１００は、映像信号とオンスクリーンディスプレイ信号が混合比αでアルファブレンドされた映像信号を出力することができる。
【００２１】
検出部１３１は、入力されたオンスクリーンディスプレイ信号を構成するＲ信号、Ｇ信号およびＢ信号の各信号が予め定められた値の信号を検出すると、切換部１４１に出力する信号をロー信号からハイ信号にする。オンスクリーンディスプレイ信号を構成するＲ信号、Ｇ信号およびＢ信号の予め定められた値の信号は、薄い色をした文字や図形等、透明部分が多い文字や図形等を表示する８ビットや１２ビット等のデジタル信号である。
【００２２】
切換部１４１は、検出部１３１からハイ信号が入力されると、入力端子１２１から入力されている所定の混合比αを予め定められた混合値に切り換え、予め定められた混合値を減算部１５１、乗算部１７１、乗算部１７２および乗算部１７３に出力する。この予め定められた混合値は、例えば混合比αを０にする値である。
【００２３】
このように、検出部１３１が予め定められた値の信号を検出すると、切換部１４１により混合比αが０に切り換わるため、オンスクリーンディスプレイ回路１００に入力された映像信号を構成するＲ信号、Ｇ信号およびＢ信号は、乗算部１６１、乗算部１６２および乗算部１６３により、混合比α＝１がそれぞれ乗算される。また、オンスクリーンディスプレイ回路１００に入力されたオンスクリーンディスプレイ信号を構成するＲ信号、Ｇ信号およびＢ信号は、乗算部１７１、乗算部１７２および乗算部１７３により、混合比α＝０がそれぞれ乗算される。
【００２４】
以上の信号処理により、オンスクリーンディスプレイ信号は全てゼロデータになるため、加算部１８１、加算部１８２および加算部１８３を介して本実施例のオンスクリーンディスプレイ回路１００から出力される信号は、映像信号のみとなる。したがって、本実施例のオンスクリーンディスプレイ回路１００は、薄い色や透明部分が多いオンスクリーンディスプレイ信号が入力されると、アルファブレンドの混合比αを０に切り換えることができることにより、従来技術のように混合比αを細かく切り換える必要がなくなる。
【図面の簡単な説明】
【００２５】
【図１】本発明の一実施例であるオンスクリーンディスプレイ回路の構成を示すブロック図。
【符号の説明】
【００２６】
１００…オンスクリーンディスプレイ回路、１０１…入力端子、１０２…入力端子、１０３…入力端子、１１１…入力端子、１１２…入力端子、１１３…入力端子、１２１…入力端子、１３１…検出部、１４１…切換部、１５１…減算部、１６１…乗算部、１６２…乗算部、１６３…乗算部、１７１…乗算部、１７２…乗算部、１７３…乗算部、１８１…加算部、１８２…加算部、１８３…加算部１８３
【図１】
2009025574.tif 000003